(57)【要約】【課題】使い勝手に改良が施されたケース体の扉体への取付構造を提供する。【解決手段】扉体１のコ字状切欠き１ａ内にケース体２等が配されるように、また、取付座３，４が扉体１の側面１ｃ，１ｄに対峙する態様で配されるようにしてから、調整ねじ７を適宜方向に回転させると、調整部材９は、ケース体２のケース側板２ｃ，２ｄ面上を移動し、案内ピン１４は、ブラケット１１では長孔１１ｂ１等、ブラケット１２では長孔１２ｂ１等に沿ってそれぞれ移動する。かかる案内ピン１４の移動に伴い、当該案内ピン１４から長孔１１ｂ１等及び長孔１２ｂ１等を介して取付座３，４に力が作用し、当該力のうち、調整部材９の移動方向に対し直角方向の分力により取付座３，４が互いに接近する方向に或いは離隔する方向に移動するので、取付座３，４を扉体１の側面１ｃ，１ｄに当接させれば、ケース体２等の扉体１への取り付けが完了する。【選択図】　図２
2004116167.tif 000002
【特許請求の範囲】
【請求項１】
扉体のハンドルの開閉機構、場合によってはこれに加えて前記ハンドルのロック機構が内蔵されたケース体を、前記扉体に両側の取付座を当接させることにより当該扉体に取り付ける取付構造において、前記ケース体の外側から回動操作可能に調整ねじを設けるとともに、該調整ねじの回動操作により前記ケース体に対し移動可能に調整部材を設け、更に、前記取付座又は調整部材のいずれか一方に当該調整部材の移動方向に対し所定角度をなす長孔を設けるとともに、いずれか他方に前記調整部材の移動に伴い前記長孔に沿う態様で摺動する案内ピンを設けたことを特徴とするケース体の扉体への取付構造。
【請求項２】
前記両側の取付座は、前記調整部材の移動に従って互いに離隔する方向に、及び近接する方向にそれぞれ移動することを特徴とする請求項１に記載のケース体の扉体への取付構造。
【発明の詳細な説明】
【０００１】
【発明が属する技術分野】
本発明は、扉体のハンドルの開閉機構、場合によっては前記ハンドルのロック機構をも内蔵したケース体を、当該扉体に取り付ける取付構造に関する。
【０００２】
【従来の技術】
従来から、扉体のハンドルの開閉機構などが設けられたケース体を、扉体に取り付ける場合、種々の取付構造が提案されているが、これらの中でその取り付けの容易化が図られているものがある（例えば、特許文献１参照）。
具体的には、図７に示すように、一方の取付板１００ａをスタッド（図示せず）とナット１０１の螺合によりガラス扉１０２に取り付け、支持バー１０３ａ，１０３ｂ等を組み込んだ錠機構１０４を凹欠部１０５に配し、他方の取付板１００ｂを取付板１００ａの反対側より凹欠部１０５を被覆してあてがう。そして、操作ネジ１０６ａ，１０６ｂをフロント側から操作して支持バー１０３ａ，１０３ｂを引き付ければ係止片１０７ａ，１０７ｂも同時に移動し、当該係止片１０７ａ，１０７ｂの各切り欠き（図示せず）が一方の取付板１００ａと他方の取付板１００ｂのそれぞれの突片１０８ａ，１０８ｂと係合するので、扉１０２に固定されていない他方の取付板１００ｂを引き付けて固定できるようにしたものである。尚、図７（Ａ）は、ガラス扉１０２への取付構造の斜視図、また、同図（Ｂ）は、片側の取付板を取り外した状態の正面図である。
【０００３】
【特許文献１】
実公昭５４−２９４０号公報（第２頁、第１図及び第２図）
【０００４】
【発明が解決しようとする課題】
しかしながら、上記公報に開示の取付構造は、ケース体の、扉体への取り付けが容易化されているが、操作ネジを、支持バーを引き付ける方向に操作するときにのみ扉体に固定されていない他方の取付板を引き付けて固定する構造となっており、支持バーを引き離す方向に移動させては固定できない構造となっているために、種々のタイプの扉体に用いるための構造としては汎用性に欠け、使い勝手に劣るところがある。また、二つの操作ネジを操作しなければならないような構造になっているために使い勝手を良くすべく改良の余地がある。
【０００５】
本発明の目的は、使い勝手に改良が施されたケース体の扉体への取付構造を提供することにある。
【０００６】
【課題を解決するための手段】
上記課題を解決するために、本発明の請求項１に係るケース体の扉体への取付構造は、扉体のハンドルの開閉機構、場合によってはこれに加えてハンドルのロック機構が内蔵されたケース体を、扉体に両側の取付座を当接させることにより当該扉体に取り付ける取付構造において、ケース体の外側から回動操作可能に調整ねじを設けるとともに、この調整ねじの回動操作によりケース体に対し移動可能に調整部材を設け、更に、上記取付座又は調整部材のいずれか一方に当該調整部材の移動方向に対し所定角度をなす長孔を設けるとともに、上記取付座又は調整部材のいずれか他方に、調整部材の移動に伴い上記長孔に沿う態様で摺動する案内ピンを設けるようにしたものである。本取付構造によれば、一つの調整ねじを所定方向に回転操作しさえすれば、取付座を互いに接近する方向に移動させて又は離隔する方向に移動させて当該扉体に固着させることができる構造となり得るので、従来のものに比し格段に使い勝手が改良され、種々のタイプの扉体に用いるための構造として汎用性に富んでいる。
【０００７】
本発明の請求項２に係るケース体の扉体への取付構造は、上述した両側の取付座が、調整部材の移動に従って互いに離隔する方向に、及び近接する方向にそれぞれ移動するようにしたもので、両方の取付座を移動させることにより、扉体の厚みが、扉体の種類によって種々相違していても、ケース体のラッチ体（例えば、図１ではラッチ体１９）を、扉体の、当該扉体の厚み方向でその中央位置に配設させることができる利便性がある。
【０００８】
【発明の実施の形態】
本発明の第１の実施の形態に係るケース体の扉体への取付構造を図１〜５を参照して説明する。
本取付構造は、扉体１の前端部に設けられたコ字状切欠き１ａ内に配されるケース体２等を、当該扉体１に対し、本実施の形態では、両側の取付座３，４を互いに近接する方向に移動させて当接させることにより当該扉体１に取り付けるようにしたものである。尚、本実施の形態に係るケース体２内には、扉体１のハンドル５，６の開閉機構及びハンドル５，６のロック機構が内蔵されている。但し、ここでは開閉機構やロック機構の説明は割愛する。
【０００９】
本取付構造を、図１，２を参照して具体的に説明する。
ケース体２は、図１に示すように、少なくとも扉体１の板厚より薄いケース厚を有する直方体箱内に、上記扉体１のハンドル５，６の開閉機構などを内蔵したものであり、直方体箱の側面のうち、扉１の切欠き１ａの開口部側に配されるケース側板２ａは、取付ボルト孔を有したフランジ部が両端から張り出していて他の側板より大き目に形成されている。そして、このケース側板２ａの略中央部には、ケース体２からラッチ体１９が突出しており（当該ラッチ体１９はハンドル５，６の操作によりケース体２から突出したり、ケース体２内に後退したりする）、また、ラッチ体１９の突出部位より僅か上方には、調整ねじ７の頭部７ａを係止するための小孔２ａ１が設けられ、この小孔２ａ１は、ケース体２のケース厚方向にケース表板２ｂ及びケース裏板（図示せず）を貫通する矩形状穴２ｂ１に連通している。
尚、ケース側板２ａにフロントプレート８が重ね合わされる態様で扉体１の、コ字状切欠き１ａが設けられた前端面の凹部１ｂに取り付けられ、このフロントプレート８には、ケース側板２ａの取付ボルト孔に対応する円形状挿通孔及びラッチ体１９の突出に対応する略楕円形状挿通穴がそれぞれ設けられている。
【００１０】
このようなケース体２に対し、調整部材９は移動可能に設けられている。即ち、調整部材９は、図１に示すように、細長い縦板部９ａの両端に同一形状の細長い横板部９ｂ，９ｃがそれぞれ突設され、本実施の形態では、これら横板部９ｂ，９ｃ上に適宜な間隔を空けて、後述の案内ピン１４のねじ部１４ａがねじ込まれるネジ孔９ｂ１，９ｂ２及びネジ孔９ｃ１，９ｃ２がそれぞれ設けられている。更に、この調整部材９には、横板部９ｂから僅かに離れた縦板部９ａの部位に鍔板９ｄ，９ｅが垂設され、これら鍔板９ｄ，９ｅと横板部９ｂとの間にコ字状切欠き１０ａ，１０ｂがそれぞれ形成され、鍔板９ｄ，９ｅには調整ねじ７のねじ部７ｂと螺合するねじ孔９ｄ１，９ｅ１が設けられている。
【００１１】
このような調整部材９は、図２に示すように、横板部９ｂ，９ｃがケース体２の直方体箱のケース側板２ｃ，２ｄ面上にそれぞれ配設される態様で、且つ、鍔板９ｄ，９ｅがケース体２の矩形状穴２ｂに挿入されるとともに、切欠き１０ａ，１０ｂがケース体２のケース側板２ｃを挟持する態様で、ケース体２に組み付けられる。このようにして組み付けられた後、調整ねじ７は、そのねじ部７ｂが調整部材９のねじ孔９ｄ１，９ｅ１に螺合するように、ケース側板２ａの小孔２ａ１から挿通される。このような調整部材９に対して外部から回動操作すると、調整部材９の横板部９ｂ，９ｃが、ケース体２のケース側板２ｃ，２ｄ面上をそれぞれ移動する態様をなし、調整部材９がケース体２に対してがたつくことなく移動する。但し、調整ねじ７は、そのねじ部７ｂの最後端部がケース体２内のフランジ２ｅに、例えばカシメなどされて抜け止めされている（図５参照）。
【００１２】
そして、取付座３，４は、図１に示すような外観がほぼ同一の略矩形状の薄板部材であり、この取付座３，４に対し、本実施の形態では、コ字形状のブラケット１１，１２が、図２に示すように固着され、これらブラケット１１，１２に、後述する長孔１１ｂ１〜１１ｃ２，１２ｂ１〜１２ｃ２がそれぞれ穿設されている。即ち、ブラケット１１は、ケース体２のケース表板２ｂとほぼ同一の大きさの縦板部１１ａと、この縦板部１１ａの両端に、図１のようにケース体２側にそれぞれ垂設された横板部１１ｂ，１１ｃとで構成され、横板部１１ｂには、ネジ孔９ｂ１，９ｂ２に対応する適宜な間隔を空けて、後述する案内ピン１４の案内部１４ｂが緩嵌される大きさに穿設された長孔１１ｂ１，１１ｂ２が、調整部材９の移動方向に対し同一の所定角度で傾斜させてそれぞれ設けられ、また、横板部１１ｃにも、ネジ孔９ｃ１，９ｃ２に対応する適宜な間隔を空けて、案内ピン１４の案内部１４ｂが緩嵌される大きさに穿設された長孔１１ｃ１，１１ｃ２が、上記長孔１１ｂ１，１１ｂ２に対向してそれぞれ設けられている。
【００１３】
一方、ブラケット１２は、ケース体２のケース裏板とほぼ同一の大きさの縦板部１２ａと、この縦板部１２ａの両端に、図１のようにケース体２側にそれぞれ垂設された横板部１２ｂ，１２ｃとで構成され、横板部１２ｂには、ネジ孔９ｂ１，９ｂ２に対応する適宜な間隔を空けて、案内ピン１４が緩嵌される大きさに穿設された長孔１２ｂ１，１２ｂ２が、調整部材９の移動方向に対し、上記長孔１１ｂ１，１１ｂ２とは反対側に同一の所定角度で傾斜させてそれぞれ設けられ、また、横板部１２ｃにも、ネジ孔９ｃ１，９ｃ２に対応する適宜な間隔を空けて、案内ピン１４が緩嵌される大きさに穿設された長孔１２ｃ１，１２ｃ２が、上記長孔１２ｂ１，１２ｂ２に対向してそれぞれ設けられている。
このようなブラケット１１，１２が、取付座３，４にビス１３で、図２に示すように固着される。
【００１４】
図２に示すように、ケース体２に調整部材９及び調整ねじ７を組み込み、取付座３，４にブラケット１１，１２をそれぞれ固着させた後、例えば図３，４のような状態に組み付ける。即ち、ケース体２に組み込まれた調整部材９を取付座３のブラケット１１が挟持する状態で、且つ、調整部材９のネジ孔９ｂ１，９ｂ２及びネジ孔９ｃ１，９ｃ２にブラケット１１の長孔１１ｂ１，１１ｂ２及び長孔１１ｃ１，１１ｃ２がそれぞれ重なるように組み付ける。更に、取付座３のブラケット１１を取付座４のブラケット１２が挟持する状態で、且つ、調整部材９のネジ孔９ｂ１，９ｂ２及びネジ孔９ｃ１，９ｃ２にブラケット１２の長孔１２ｂ１，１２ｂ２及び長孔１２ｃ１，１２ｃ２がそれぞれ重なるように組み付ける。そして、ねじ部１４ａ及び案内部１４ｂで構成される上述の案内ピン１４を、長孔１２ｂ１，長孔１１ｂ１を通してネジ孔９ｂ１に、また、長孔１２ｂ２，長孔１１ｂ２を通してネジ孔９ｂ２に、同様に、長孔１２ｃ１，長孔１１ｃ１を通してネジ孔９ｃ１に、また、長孔１２ｃ２，長孔１１ｃ２を通してネジ孔９ｃ２にそれぞれ螺着させる。
【００１５】
ところで、図１に示すように、ブラケット１１が取付座３に固着されるときに、当該取付座３には、軸受１５が緩嵌される一方、ブラケット１２が取付座４に固着されるときに、当該取付座４には、施解錠の操作部分となるサムターン１６及びサムターン１６の矩形状鍔１６ａを係止させてケース体２内の錠カム（図示せず）の回転止め機能を果たす保持板１７などが固着される。また、調整部材９及び調整ねじ７が組み込まれたケース体２に、ブラケット１１，１２がそれぞれ固着された取付座３，４をそれぞれ組み付けるときに、上記軸受１５に支持される細長の略矩形状棒１８がケース体２内の錠カムを通してサムターン１６の円筒突条部１６ｂの矩形孔に嵌挿されるようになっている。
【００１６】
本取付構造による扉体１への取付け方を図３〜５を参照して説明する。
扉体１に、ケース体２等に取付座３，４が組み付けられたものを取り付ける場合、扉体１のコ字状切欠き１ａ内にケース体２等が配されるように、また、取付座３，４が扉体１の側面１ｃ，１ｄに対峙する態様で配されるようにするために、例えば図３や図５（Ａ）に示すように、調整ねじ７を適宜方向に回転させて取付座３，４を互いに最大に離隔させた状態にする。このとき、調整部材９は、図５（Ａ）のように、ケース体２のケース側板２ａに当接した状態にあり、案内ピン１４は、例えば同図で描かれている部位で言えば、ブラケット１１の長孔１１ｂ２及びブラケット１２の長孔１２ｂ２の、最もフランジ２ｅ寄りの位置に移動している。
【００１７】
このような状態で取付座３，４が組み付けられたケース体２等を扉体１のコ字状切欠き１ａ内に配し、調整ねじ７を適宜方向に回転させて取付座３，４を互いに接近する方向に移動させると、調整部材９が、ケース体２のケース側板２ａから離隔する方向に移動するとともに、案内ピン１４も、図５（Ａ）で描かれている部位で言えば、長孔１１ｂ２及び長孔１２ｂ２の、フランジ２ｅから離隔する位置に移動する。かかる案内ピン１４の移動に伴い、当該案内ピン１４から長孔１１ｂ２及び長孔１２ｂ２を介して取付座３，４に力が作用し、当該力のうち、調整部材９の移動方向に対し直角方向の分力により取付座３，４が互いに接近する方向に移動して扉体１の側面１ｃ，１ｄに当接し、ケース体２等の扉体１への取り付けが完了する。
ところで、図５（Ｂ）は、調整部材９がケース体２のフランジ２ｅに当接するととともに、案内ピン１４が、同図で描かれている部位で言えば、長孔１１ｂ２及び長孔１２ｂ２の、最もフランジ２ｅから離隔した位置に移動したときに、錠ケース２等の扉体１への取り付けが完了した場合を示している。
【００１８】
完了後、ハンドル５は取付座３側に取り付けられ、当該ハンドル５の角芯棒５ａは、ケース体２内に組み込まれるカム体（図示せず）に嵌挿されるとともに、取付座４側に取り付けられるハンドル６の口金６ａに嵌挿され、これによりハンドル５とハンドル６とが連動して回転するようになる。また、上述のようにフロントプレート８がケース側板２ａに重ね合わせる態様で取り付けられ、フロントプレート８が取り付けられた後には、調整ねじ７を回動操作できないようになっている。尚、扉体１からケース体２等を取り外す場合には、フロントプレート８を取り外して調整ねじ７を適宜方向に回転し、取付座３，４の、扉体１との当接状態を解除してやればよい。
【００１９】
次に、本発明の第２の実施の形態に係るケース体の扉体への取付構造を図６を参照して説明する。尚、図６中、図１〜５の構成部材と同一の部材には同一番号を付し、その説明は割愛する。
本取付構造は、図６に示すようなアルミサッシ用の扉体２０に適するものであり、上記第１の実施の形態に係る取付構造が、取付座３，４を互いに近接する方向に移動させて取り付けるようにしたものであるのに対し、下記取付座２１，２２を互いに離隔する方向に移動させて取り付けるようにしたものである。したがって、本取付構造において上記取付構造と異にするところは、取付座３，４の代わりに取付座２１，２２を用いている点である。但し、扉体２０に適するようにケース側板２ａをケース側板２３ａに置き換えたケース体２３を、ケース体２の代わりに用いている。
【００２０】
扉体２０は、図６に示すように軽量化された中空の枠体で構成されるものであり、扉体２０の前端部には、ケース体２３等が配されるようにコ字状切欠き２０ａが設けられている。
また、取付座２１，２２は、略矩形状の薄板部材でそれぞれ構成され、取付座２１の横対辺には、ブラケット１１が取り付けられる側とは反対側に段付き加工された、段付き受け２１ａ，２１ｂが設けられる一方、取付座２２の横対辺にも、ブラケット１２が取り付けられる側とは反対側に段付き加工された、段付き受け２２ａ，２２ｂが設けられている。
また、ケース体２３のケース側板２３ａは、扉体２０への取付ボルト孔を有したフランジ部のところで折曲され、これらフランジ部で挟まれたウェブ部２３ａが凸設された形態をなしており、かかるウェブ部２３ａが、扉体２０の、コ字状切欠き２０ａが設けられた前端面の切欠き溝２０ｂに嵌め込まれる。尚、ウェブ部２３ａには、上記ケース側板２ａと同様に、ケース体２３からラッチ体１９を突出させるための略楕円形状挿通穴、及び調整ねじ７の頭部７ａを係止するための小孔が設けられている。
【００２１】
本取付構造による扉体２０への取付け方を説明する。
扉体２０に、ケース体２３等に取付座２１，２２が組み付けられたものを取り付ける場合、扉体２０のコ字状切欠き２０ａ内にケース体２０等が配されるようにすることはもちろんであるが、取付座２１，２２もまたコ字状切欠き２０ａ内に配されるようにするとともに、取付座２１，２２の段付き受け２１ａ，２２ａがコ字状切欠き２０ａの横対辺２０ｃに、また、取付座２１，２２の段付き受け２１ｂ，２２ｂがコ字状切欠き２０ａの横対辺２０ｄにそれぞれ対峙する態様で配されるようにする。しかる後、調整ねじ７を適宜方向に回転させて取付座２１，２２を互いに離隔する方向に移動させ、例えば取付座２１について言えば、扉体２０の横対辺２０ｃに取付座２１の段付き受け２１ａを合わせるように当接させ、また、横対辺２０ｄに段付き受け２１ｂを合わせるように当接させることにより、ケース体２３等の扉体２０への取り付けが完了する。
尚、調整ねじ７の回動操作により調整部材９がケース体２３に対し移動し、また、取付座２１，２２が互いに離隔する方向に、及び近接する方向にそれぞれ移動する動作は、上記第１の実施の形態に係る取付構造の場合と全く同様である。
【００２２】
ところで、上記実施の形態では、例えば取付座３のブラケット１１に長孔１１ｂ１等を設け、調整部材９に案内ピン１４を設けるようにした場合について説明したが、取付座３のブラケット１１に案内ピン１４を設け、調整部材９に長孔１１ｂ１等を設けるようにしたものであってもよく、このような場合にも、取付座３を互いに離隔する方向に、及び近接する方向にそれぞれ移動させることができる。
【００２３】
【発明の効果】
本発明のケース体の扉体への取付構造によれば、一つの調整ねじを所定方向に回転操作しさえすれば、取付座を互いに接近する方向に移動させて又は離隔する方向に移動させて当該扉体に固着させることができる構造となり得るので、従来のものに比し格段に使い勝手が改良されている。
【図面の簡単な説明】
【図１】第１の実施の形態に係るケース体の扉体への取付構造を示す分解斜視図である。
【図２】図１の取付構造の分解斜視図である。
【図３】図１の取付構造で、取付座が最も接近したときの分解斜視図である。
【図４】図１の取付構造で、取付座が最も離隔したときの分解斜視図である。
【図５】図１の取付構造での動作説明図である。
【図６】第２の実施の形態に係るケース体の扉体への取付構造を示す分解斜視図である。
【図７】従来のケース体の扉体への取付構造図である。
【符号の説明】
１，２０　　　　　　　扉体
２，２３　　　　　　　ケース体
３，４，２１，２２　　取付座
５，６　　　　　　　　ハンドル
７　　　　　　　　　　調整ねじ
９　　　　　　　　　　調整部材
１１，１２　　　　　　ブラケット
１１ｂ１，１１ｂ２　　　長孔
１１ｃ１，１１ｃ２　　　長孔
１２ｂ１，１２ｂ２　　　長孔
１２ｃ１，１２ｃ２　　　長孔
１４　　　　　　　　　案内ピン
【図１】
2004116167.tif 000003
【図２】
2004116167.tif 000004
【図３】
2004116167.tif 000005
【図４】
2004116167.tif 000006
【図５】
2004116167.tif 000007
【図６】
2004116167.tif 000008
【図７】
2004116167.tif 000009